(57)【要約】【課題】印刷によってシート上に画像を形成する画像形成装置において、任意の画像が正常な態様で印刷されたか否かを判定しやすくできるようにする。【解決手段】画像形成装置においては、オプション機能の設定に従って、任意の画像を印刷するための変更画像データを生成する変更画像生成処理（Ｓ１５、Ｓ２０、Ｓ２５）と、オプション機能の設定と任意の画像が形成されるべきシート上の位置とに基づいて、オプション機能を用いた画像データが正常か否かをチェックする者であるチェック者がシート上において任意の画像をチェックすべき位置を演算する位置演算処理（Ｓ３０）と、チェックすべき位置を示すためのチェック用画像を印刷するためのチェック用画像データを生成するチェック用画像生成処理（Ｓ３５）と、画像形成部に対して変更画像データおよびチェック用画像データに基づく画像をシート上に印刷させる出力処理（Ｓ４５、Ｓ５０）と、を行う。【選択図】図２
2015174396.tif 000002
【特許請求の範囲】
【請求項１】
シートに画像を形成する画像形成装置であって、
シートに画像を形成する画像形成部と、
形成される画像の態様を決定する機能を表すオプション機能における設定を入力するための入力部と、
前記画像形成部を制御する制御部と、
を備え、
前記制御部は、
前記入力部から入力されたオプション機能の設定に従って、任意の画像を印刷するための変更画像データを生成する変更画像生成処理と、
前記オプション機能の設定と前記任意の画像が形成されるべきシート上の位置とに基づいて、チェック者がシート上において前記任意の画像をチェックすべき位置を演算する位置演算処理と、
前記チェックすべき位置を示すためのチェック用画像を印刷するためのチェック用画像データを生成するチェック用画像生成処理と、
前記画像形成部に対して前記変更画像データおよび前記チェック用画像データに基づく画像をシート上に印刷させる出力処理と、
を行うことを特徴とする画像形成装置。
【請求項２】
請求項１に記載の画像形成装置において、
前記制御部は、
前記出力処理では、前記変更画像データおよび前記チェック用画像データを合成した合成画像を生成し、該合成画像に基づく画像を印刷させること
を特徴とする画像形成装置。
【請求項３】
請求項１または請求項２に記載の画像形成装置において、
前記制御部は、
前記変更画像生成処理では、任意の画像の特定位置に注目マークを合成した画像を生成するとともに、前記オプション機能として、設定された倍率に変更して印刷するための倍率変更機能による設定に従って前記注目マークを合成した画像に基づく前記変更画像データを生成し、
前記位置演算処理では、前記チェックすべき位置として前記注目マークが印刷されるべき位置を演算すること
を特徴とする画像形成装置。
【請求項４】
請求項３に記載の画像形成装置において、
前記制御部は、
前記チェック用画像生成処理では、前記チェック用画像として、縦線と横線とが交差したクロスマークを採用し、該クロスマークにおける前記縦線と前記横線との交点が前記チェックすべき位置と一致するよう設定すること
を特徴とする画像形成装置。
【請求項５】
請求項４に記載の画像形成装置において、
前記制御部は、
前記チェック用画像生成処理では、前記チェック用画像として、前記チェック用画像の周囲の少なくとも一部に目盛りを備え、かつ前記クロスマークにおける縦線または横線は前記目盛りに重なるよう延びたものを採用すること
を特徴とする画像形成装置。
【請求項６】
請求項１〜３の何れか１項に記載の画像形成装置において、
前記制御部は、
前記変更画像生成処理では、前記任意の画像として、異なる色の属性となる複数の領域を有するテスト画像を生成し、前記オプション機能として、設定された色の属性で印刷するための属性変更機能による設定に従って前記テスト画像に基づく前記変更画像データを生成し、
前記位置演算処理では、前記チェックすべき位置として  前記テスト画像において視覚上の変化が生じるはずである位置を演算すること
を特徴とする画像形成装置。
【請求項７】
請求項６に記載の画像形成装置において、
前記制御部は、
前記変更画像生成処理では、テスト画像を、画像形成装置が有するインクの原色で形成するための変更画像データを生成すること
を特徴とする画像形成装置。
【発明の詳細な説明】
【技術分野】
【０００１】
本発明は、印刷によってシート上に画像を形成する画像形成装置に関する。
【背景技術】
【０００２】
上記の画像形成装置として、チェック用画像に基づくマークをシート上の表裏に印刷し、これらの位置のずれを目視させることによって位置のずれの発生を認識できるようにするものが知られている（例えば、特許文献１参照）。
【先行技術文献】
【特許文献】
【０００３】
【特許文献１】特開２００６−３５００８８号公報
【発明の概要】
【発明が解決しようとする課題】
【０００４】
上記画像形成装置においては、拡大や縮小、割り付け印刷、濃度やコントラストを変更して印刷するとき等、画像の態様を変更したときに、正常に印刷が実施できているか否かを確認することが難しいという問題点があった。
【０００５】
そこで、このような問題点を鑑み、印刷によってシート上に画像を形成する画像形成装置において、任意の画像が正常な態様で印刷されたか否かを判定しやすくできるようにすることを本発明の目的とする。
【課題を解決するための手段】
【０００６】
本発明の画像形成装置においては、シートに画像を形成する画像形成装置であって、シートに画像を形成する画像形成部と、形成される画像の態様を決定する機能を表すオプション機能における設定を入力するための入力部と、画像形成部を制御する制御部と、を備え、制御部は、入力部から入力されたオプション機能の設定に従って、任意の画像を印刷するための変更画像データを生成する変更画像生成処理と、オプション機能の設定と任意の画像が形成されるべきシート上の位置とに基づいて、チェック者がシート上において任意の画像をチェックすべき位置を演算する位置演算処理と、チェックすべき位置を示すためのチェック用画像を印刷するためのチェック用画像データを生成するチェック用画像生成処理と、画像形成部に対して変更画像データおよびチェック用画像データに基づく画像をシート上に印刷させる出力処理と、を行うことを特徴とする。
【０００７】
このような画像形成装置によれば、任意の画像がオプション機能によって設定された態様で印刷されたか否かをチェック者が判定する際に、チェックすべき位置に形成されたチェック用画像を目標としてチェックを行うことができるので、任意の画像が正常な態様で印刷されたか否かを判定しやすくすることができる。
【０００８】
なお、本発明は、コンピュータを、上記画像形成装置を構成する各手段として実現するための画像形成プログラムとしてもよい。また、各請求項の記載は、可能な限りにおいて任意に組み合わせることができる。この際、発明の目的を達成できる範囲内において一部構成を除外してもよい。
【図面の簡単な説明】
【０００９】
【図１】本発明が適用されたＭＦＣ１，２の概略構成を示すブロック図である。
【図２】制御部１０（ＣＰＵ１１）が実行するチェック用画像生成処理を示すフローチャートである。
【図３】オプション機能表および注目マーク３８の設定の一例を示す表である。
【図４】チェック用画像生成処理のうちの注目マーク選定処理を示すフローチャートである。
【図５】合成して印刷される複数の画像の一例を示す画像図である。
【図６】注目マーク３８の配置の一例を示す画像図である。
【図７】注目マーク３８が合成された画像およびチェック用画像５０の一例を示す画像図である。
【図８】チェック用画像生成処理のうちのチェック位置演算処理を示すフローチャートである。
【図９】注目マーク３８およびチェック用画像５０を合成して印刷した状態を示す画像図（Ａ）、およびテストパターン６０の一例を示す画像図（Ｂ）である。
【図１０】グレーチャートの一例を示す説明図である。
【発明を実施するための形態】
【００１０】
以下に本発明にかかる実施の形態を図面と共に説明する。
［第１実施形態］
［第１実施形態の構成］
本発明が適用されたＭＦＣ（複合機：Multi-Function Center）１は、画像形成装置としての機能を備え、ＭＦＣ１に入力された画像データに基づく画像を、用紙やＯＨＰシート等のシートに生成する機能を有する。詳細には、ＭＦＣ１は、図１に示すように、制御部１０と、入力部２１と、画像形成部２２と、を備えている。
【００１１】
入力部２１は、ＭＦＣ１に対する設定や処理の開始等をユーザが指示するためのインタフェースとして構成されている。この入力部２１は、例えば、ボタン式のスイッチや、タッチパネル等として構成されており、ユーザによる入力部２１の操作内容が制御部１０において認識される。
【００１２】
画像形成部２２は、制御部１０からの指令に応じてシートに画像を形成する周知のプリンタとしての機能を備えている。
制御部１０は、ＣＰＵ１１と、ＲＯＭ、ＲＡＭ等のメモリ１２とを備えた周知のコンピュータとして構成されている。ＣＰＵ１１は、メモリ１２に格納されたプログラムに従って後述するチェック用画像形成処理等の各種処理を実施する。
【００１３】
［第１実施形態の処理］
このように構成されたＭＦＣ１において、制御部１０は、図２に示すチェック用画像形成処理を実施する。チェック用画像形成処理は、ＭＦＣ１において正常に画像形成を行うことができているか否かを、チェック者が容易に確認できるようにするためのチェック用画像をシートに形成する処理である。なお、チェック者とは、後述するオプション機能を用いた画像データが正常か否かをチェックする者を表す。
【００１４】
また、チェック用画像形成処理は、例えばＭＦＣ１において入力部２１からチェック用画像を形成する旨の信号が入力されると開始される処理である。この処理では、図２に示すように、まず、オプション機能表をメモリ１２から取得する（Ｓ１０）。
【００１５】
ここで、ＭＦＣ１においては、形成される画像の態様を決定する機能を表すオプション機能において、各設定を変更できるよう構成されている。オプション機能には、図３（Ａ）に示すように、例えば、印刷部数、印刷品質、縮尺（拡大／縮小）、コントラスト、部単位印刷、割付印刷、両面印刷等の設定が存在する。なお、部単位印刷とは、複数部数の印刷を行う際に、１部毎にひとまとめにして印刷する機能を示す。オプション機能としては、その他、ポスター印刷、濃度、明るさ等の設定も挙げられる。
【００１６】
この処理では、図３（Ａ）に示すように、種々の設定が指定されたオプション機能表をメモリ１２から取得する。なお、オプション機能表は、チェック用画像形成処理の開始前にチェック者が入力部２１を操作すること等によって予めメモリ１２において準備されている。
【００１７】
続いて、注目マーク選定処理を実施する（Ｓ１５）。注目マーク選定処理は、チェック者がチェックを行う際の目印となる注目マーク３８（図６（Ｂ）等参照）をどのような態様のものにするかを設定する処理である。
【００１８】
注目マーク選定処理では、図４に示すように、まず、印刷を行う任意の画像を取得する（Ｓ１１０）。本実施形態では、任意の画像として、図５（Ａ）および図５（Ｂ）のそれぞれに示す２枚の画像（画像３０および画像４０）を取得するものとする。
【００１９】
続いて、オプション機能表を参照することによってオプション機能に移動や回転を伴うものが含まれているか否かを判定する（Ｓ１１５）。ここで、移動や回転を伴うオプション機能とは、例えば、拡大／縮小において倍率が１００％以外に設定されたものや、割付印刷において１ｉｎ１（１ページに１枚）以外に設定されたもの等が該当する。
【００２０】
オプション機能に移動や回転を伴うものが含まれていなければ（Ｓ１１５：ＮＯ）、注目マーク３８を形成しないよう設定し（Ｓ１２０）、注目マーク選定処理を終了する。また、オプション機能に移動や回転を伴うものが含まれていれば（Ｓ１１５：ＹＥＳ）、元画像上に注目マーク３８の候補エリアを設定する（Ｓ１２５）。この処理では、例えば、図６（Ａ）に示すように、元画像である画像３０上において、注目マーク３８を配置するための４つの候補エリア３１，３２，３３，３４を設定する。
【００２１】
なお、本処理においては、画像の移動および回転が正確に実施されているかを確認する目的で注目マーク３８を配置するため、この候補エリア３１，３２，３３，３４は、画像３０の中心およびその付近を避けて設定される。画像３０の中心付近に注目マーク３８が配置されると画像の移動および回転を行った際に、注目マーク３８の位置がほとんど変化しないことがあり、画像の移動および回転が正確に実施されているか否かを識別しにくくなるためである。
【００２２】
続いて、オプション機能表を参照することによってオプション機能に拡大または縮小を伴うものが含まれているか否かを判定する（Ｓ１３０）。オプション機能に拡大または縮小を伴うものが含まれていなければ（Ｓ１３０：ＮＯ）、後述するＳ１４０の処理に移行する。この場合、注目マーク３８のサイズは規定のサイズ（例えば、１．５ｍｍ〜２．０ｍｍのもの）が採用される。
【００２３】
また、オプション機能に拡大または縮小を伴うものが含まれていれば（Ｓ１３０：ＹＥＳ）、注目マーク３８のサイズを印刷の際の倍率に合わせて設定する（Ｓ１３５）。この処理において、注目マーク３８のサイズは、オプション機能の設定に従って拡大や縮小され、印刷されたときに同じ大きさになるよう設定される。
【００２４】
具体的な注目マーク３８のサイズとしては、後述するチェック用画像（クロスマーク）の線幅（例えば１ｍｍ程度）の１．５倍〜２．０倍程度の大きさ（例えば、１．５ｍｍ〜２．０ｍｍ）となるよう、印刷の際の倍率から逆算して設定する。注目マーク３８のサイズをこの範囲内に設定するのは、注目マーク３８自体の視認性と注目マーク３８の位置の視認性との両方を確保しやすくするためである。
【００２５】
つまり、注目マーク３８の大きさが大きいほうが注目マーク３８自体の視認性は高まるが、注目マーク３８の位置（中心位置等）は注目マーク３８の位置が小さいほうが分かりやすくなるため、これらを両立するために上記ように注目マーク３８の大きさを設定する。
【００２６】
図３（Ａ）に示すオプション機能の設定では、８５％縮小と２ｉｎ１（１ページに２枚）の割付（７１％縮小）とを行うため、画像３０が正常に印刷されれば、元画像の６０％に縮小されて印刷されるはずである。したがって、この例においては、６０％に縮小されたときに注目マーク３８の大きさが１．５ｍｍ〜２．０ｍｍの大きさになるよう、縮小前の大きさが２．５ｍｍ〜３．３ｍｍに設定される。
【００２７】
続いて、前述の候補エリア３１，３２，３３，３４において、注目マーク３８を配置すべき位置を探索する（Ｓ１４０）。この処理では、各候補エリア３１，３２，３３，３４において、予め設定された色（例えば赤）の注目マーク３８と同系色の色が多く含まれている領域については、注目マーク３８が視認しにくくなるものとして注目マーク３８を配置すべきでない領域とする。
【００２８】
また、注目マーク３８を配置すべきでない領域を除いた領域のうち、注目マーク３８と同系色の色が含まれる領域が最も少ない領域を、注目マーク３８を配置すべき領域とする。そして、注目マーク３８を配置すべき領域のうち、濃度が比較的低い領域を、注目マーク３８を置く位置として設定する。
【００２９】
続いて、注目マーク３８を配置すべき位置が存在するか否かを判定する（Ｓ１４５）。注目マーク３８を配置すべき位置が存在しなければ（Ｓ１４５：ＮＯ）、注目マーク３８の色を変更し（Ｓ１５０）、Ｓ１４０の処理に戻る。なお、注目マーク３８の色を変更する処理では、例えば、現在、注目マーク３８の色として設定されている色（例えば赤）の補色（例えば青緑）を選択する。
【００３０】
また、注目マーク３８を配置すべき位置が存在すれば（Ｓ１４５：ＹＥＳ）、注目マーク３８の設定をメモリ１２に記録させる（Ｓ１５５）。ここで、注目マーク３８の設定には、図３（Ｂ）に示すように、注目マーク３８の形状、注目マーク３８の色、注目マーク３８を配置する位置、注目マーク３８のサイズ等が含まれる。注目マーク３８は例えば、図６（Ａ）に示す目標点３９に配置されるよう設定される。
【００３１】
このような処理が終了すると注目マーク選定処理を終了する。続いて、図２に戻り、注目マーク３８を印刷する画像に合成した画像を生成する（Ｓ２０）。この処理では、図６（Ｂ）に示すように、注目マーク３８の設定通りに、目標点３９（図６（Ａ）参照）と一致する位置において注目マーク３８が配置された画像を生成する。つまり、任意の画像３０に注目マーク３８を合成した合成画像を生成する。
【００３２】
続いて、オプション機能の設定に従って、注目マーク３８が合成された画像の変換を行う（Ｓ２５）。ここでは、例えば図７（Ａ）に示すように、注目マーク３８が合成された画像３０と、画像４０とを１枚のシートに割付印刷するための変更画像データを生成する。
【００３３】
続いて、チェック位置演算処理を実施する（Ｓ３０）。チェック位置演算処理は、チェック者がシート上においてチェックすべき位置を演算する処理である。特に本実施形態では、注目マーク３８が配置されるはずである位置を演算によって求める処理である。
【００３４】
チェック位置演算処理では、図８に示すように、まず、元画像上の注目マーク３８の位置を取得する（Ｓ２１５）。続いて、拡大または縮小を伴うオプション機能が選択されたか否かを判定する（Ｓ２２０）。拡大または縮小を伴うオプション機能が選択されていなければ（Ｓ２２０：ＮＯ）、後述するＳ２４０の処理に移行する。
【００３５】
また、拡大または縮小を伴うオプション機能が選択されていれば（Ｓ２２０：ＹＥＳ）、拡大率または縮小率を求める（Ｓ２２５）。この処理では、拡大率や縮小率だけでなく、倍率を変更して印刷を行う割付印刷も考慮して計算を行う。
【００３６】
続いて、上記の拡大率や縮小率を加味して、元画像上の注目マーク３８の位置を計算する（Ｓ２３０）。注目マーク３８の位置は、計算によって求められた新たな位置に更新される。
【００３７】
そして、回転を伴うオプション機能が選択されたか否かを判定する（Ｓ２４０）。ここで、回転を伴うオプションとは、割付印刷の２ｉｎ１や８ｉｎ１印刷等が該当する。回転を伴うオプション機能が選択されていなければ（Ｓ２４０：ＮＯ）、後述するＳ２６０の処理に移行する。
【００３８】
また、回転を伴うオプション機能が選択されていれば（Ｓ２４０：ＹＥＳ）、傾き（回転方向と角度）を求め（Ｓ２４５）、上記の傾きを加味した元画像上の注目マーク３８の位置を計算する（Ｓ２５０）。この処理においても、注目マーク３８の位置は、計算によって求められた新たな位置に更新される。
【００３９】
続いて、シート上の再配置を必要とするオプション機能が選択されているか否かを判定する（Ｓ２６０）。ここで、シート上の再配置とは、倍率の変更や回転だけで位置を特定することができないために、座標（例えば画像の左下等の基準となる座標）そのものを所定の位置に変更することを示す。また、シート上の再配置を必要とするオプション機能としては、割付印刷等が該当する。
【００４０】
シート上の再配置を必要とするオプション機能が選択されていなければ（Ｓ２６０：ＮＯ）、後述するＳ２８０の処理に移行する。また、シート上の再配置を必要とするオプション機能が選択されていれば（Ｓ２６０：ＹＥＳ）、元画像の再配置位置を求め（Ｓ２６５）、上記の再配置位置を加味した元画像上の注目マーク３８の位置を計算する（Ｓ２７０）。
【００４１】
そして、元画像のシート上の位置を計算し（Ｓ２８０）、注目マーク３８がこのシート上において印刷される位置を計算する（Ｓ２８５）。Ｓ２８０およびＳ２８５の処理は、余白や印刷位置の設定等によってシート上の印刷位置が変更されることを考慮するための処理である。
【００４２】
このような処理が終了すると、チェック位置演算処理を終了する。
続いて、図２に戻り、チェック用画像５０を印刷するためのチェック用画像データを生成する（Ｓ３５）。ここで、チェック用画像５０は、図７（Ｂ）に示すように、横線５１およびこの横線５１と直交する縦線５２を備えたクロスマークと、画像形成領域の縁部分に位置する目盛り５４とを含むよう設定されている。
【００４３】
また、横線５１および縦線５２は目盛り５４が配置された部位まで延びており、横線５１および縦線５２の位置が分かりやすくなるよう配慮されている。また、横線５１および縦線５２の交点５３の位置は、演算によって求められた注目マーク３８の位置（つまり、Ｓ２８５の処理にて設定された位置）と一致するよう設定される。
【００４４】
続いて、注目マーク３８が合成された画像に、チェック用画像５０を合成するか否かを判定する（Ｓ４０）。チェック用画像５０を合成するか否かについては、チェック者が入力部２１を用いて設定を入力することによって予め設定されている。
【００４５】
チェック用画像５０を合成する場合（Ｓ４０：ＹＥＳ）、変更画像データ（注目マーク３８が合成された画像３０および画像４０を含むデータ）にチェック用画像データを合成した印刷用画像データを生成し（Ｓ４５）、画像形成部２２を用いてこの印刷用画像データについて印刷を行う（Ｓ５０）。このようにすると、図９（Ａ）に示すように、シートには、注目マーク３８、画像３０、画像４０、およびチェック用画像５０を含む画像が形成されることになる。
【００４６】
そして、このシートにおいてチェック者は、注目マーク３８の位置と、クロスマークにおける交点５３の位置とに着目し、これらの位置が一致していれば、画像３０や画像４０を含む画像の座標変換や倍率変更のプログラムが正常であると判定することができる。
【００４７】
また、チェック用画像５０を合成しない場合（Ｓ４０：ＮＯ）、変更画像データとチェック用画像データとをそれぞれ印刷用画像データとし、画像形成部２２を用いてこれらの印刷用画像データを別のシートにそれぞれ印刷する（Ｓ５０）。
【００４８】
この場合には、図７（Ａ）に示す画像と図７（Ｂ）に示す画像とがそれぞれ別のシートに印刷されることになる。このような印刷が終了すると、チェック用画像形成処理を終了する。
【００４９】
［第１実施形態による効果］
以上のように詳述した画像形成装置（１）においては、シートに画像を形成する画像形成装置（１）であって、シートに画像を形成する画像形成部（２２）と、形成される画像の態様（例えば、縮尺、割付印刷、ポスター印刷、濃度、コントラスト等）を決定する機能を表すオプション機能における設定を入力するための入力部（２１）と、画像形成部（２２）を制御する制御部（１０）と、を備え、制御部（１０）は、入力部（２１）から入力されたオプション機能の設定に従って、任意の画像を印刷するための変更画像データを生成する変更画像生成処理（Ｓ１５、Ｓ２０、Ｓ２５）と、オプション機能の設定と任意の画像が形成されるべきシート上の位置とに基づいて、オプション機能を用いた画像データが正常か否かをチェックする者であるチェック者がシート上において任意の画像をチェックすべき位置を演算する位置演算処理（Ｓ３０）と、チェックすべき位置を示すためのチェック用画像（５０）を印刷するためのチェック用画像データを生成するチェック用画像生成処理（Ｓ３５）と、画像形成部（２２）に対して変更画像データおよびチェック用画像データに基づく画像をシート上に印刷させる出力処理（Ｓ４５、Ｓ５０）と、を行うことを特徴とする。
【００５０】
このような画像形成装置（１）によれば、任意の画像がオプション機能によって設定された態様で印刷されたか否かをチェック者が判定する際に、チェックすべき位置に形成されたチェック用画像（５０）を目標としてチェックを行うことができるので、任意の画像が正常な態様で印刷されたか否かを判定しやすくすることができる。
【００５１】
また、上記の画像形成装置（１）において、制御部（１０）は、出力処理（Ｓ４５、Ｓ５０）では、変更画像データおよびチェック用画像データを合成した合成画像を生成し、該合成画像に基づく画像を印刷させる。
【００５２】
このような画像形成装置（１）によれば、変更画像データおよびチェック用画像データを１のシート上に印刷するので、チェック者は一目で画像を形成する際の態様を確認することができる。
【００５３】
なお、設定（Ｓ４０の判定結果）によっては、変更画像データとチェック用画像データとは別々のシート上に印刷させる。このようにしても変更画像データが印刷されたシートとチェック用画像データが印刷されたシートとを重ねる等すればチェック者は画像を形成する際の態様を確認することができる。
【００５４】
さらに、上記の画像形成装置（１）において、制御部（１０）は、変更画像生成処理（Ｓ１５、Ｓ２０、Ｓ２５）では、任意の画像の特定位置に注目マーク（３８）を合成した画像を生成するとともに、オプション機能として、設定された倍率に変更して印刷するための倍率変更機能による設定に従って注目マーク（３８）を合成した画像に基づく変更画像データを生成し、位置演算処理（Ｓ３０）では、チェックすべき位置として注目マーク（３８）が印刷されるべき位置を演算する。
【００５５】
このような画像形成装置（１）によれば、注目マーク（３８）とチェック用画像（５０）との位置ずれを確認すれば倍率変更機能が正常に機能しているか否かを容易に確認することができる。
【００５６】
また、画像形成装置（１）において、制御部（１０）は、チェック用画像生成処理（Ｓ３５）では、チェック用画像（５０）として、縦線（５２）と横線（５１）とが交差したクロスマークを採用し、該クロスマークにおける縦線（５２）と横線（５１）との交点（５３）がチェックすべき位置と一致するよう設定する。
【００５７】
このような画像形成装置（１）によれば、注目マーク（３８）の位置とクロスマークにおける交点（５３）の位置とが一致するか否かによって倍率変更機能が正常に機能しているか否かを確認することができる。
【００５８】
また、画像形成装置（１）において、制御部（１０）は、チェック用画像生成処理（Ｓ３５）では、チェック用画像（５０）として、チェック用画像（５０）の周囲の少なくとも一部に目盛り（５４）を備え、かつクロスマークにおける縦線（５２）または横線（５１）は目盛り（５４）に重なるよう延びたものを採用する。
【００５９】
このような画像形成装置（１）によれば、目盛り（５４）によってクロスマークの位置や注目マーク（３８）との位置関係を分かりやすくすることができる。
［第２実施形態］
次に、別形態のＭＦＣ２について説明する。本実施形態（第２実施形態）では、第１実施形態のＭＦＣ１と異なる箇所のみを詳述し、第１実施形態のＭＦＣ１と同様の箇所については、同一の符号を付して説明を省略する。
【００６０】
ＭＦＣ２においては、注目マークを合成する任意の画像として、例えば図９（Ｂ）に示すようなテストパターン６０を採用する。このテストパターン６０においては、印刷ページ番号画像６１、品質チェック用グレーチャート６３、矩形画像６５、およびコントラストチェック用グレーチャート６９、を含む。また、このテストパターン６０は、ＭＦＣ２が有するインクまたはトナー等の画像形成媒体の原色を用いて印刷される。
【００６１】
印刷ページ番号画像６１においては、印刷の際のページ番号が順に数字で割り振られ、Ｓ２０の処理にて、この画像の周囲の一部に注目マーク６２が配置される。また、矩形画像６５においては、Ｓ２０の処理にて、そのコーナー部分に注目マーク６６，６７が配置される。
【００６２】
また、グレーチャート６３，６９においては、Ｓ２０の処理にて、チャート毎に予め設定された位置に注目マーク６４，７０が配置される。注目マーク６４，７０の位置は、濃度やコントラスト等の設定が標準的な設定である際に、視覚上の変化が生じると予想される位置に配置される。そして、Ｓ３０の処理では、実際の設定に従って視覚上の変化が生じるはずである位置を演算し、この位置に、クロスマークにおける交点５３が配置されるよう設定を行う。
【００６３】
ここで、視覚上の変化が生じるはずである位置とは、例えば、演算によって求められる画像形成媒体の密度等に基づいて求められる位置であり、人間の視覚上、色が白からグレー（中間色）に変化するはずである位置や、色が黒（原色）から白に変化するはずである位置等を示す。例えば、品質チェック用グレーチャート６３においては、図１０（Ａ）に示すように、複数の濃度が異なる四角形の領域であって、順に単調に濃度が変化する領域が設けられている。
【００６４】
品質チェック用グレーチャート６３において、この品質が「グレースケール」である場合等、標準的な設定である場合に視覚上の変化が生じると予想される位置に注目マーク６４を配置し（図１０（Ａ）上段）、例えば品質が「ドラフト（２値白黒）」である際のテストパターン６０を印刷する場合には、注目マーク６４に加えて、実際に白から黒に変化するチャート上の位置にクロスマークの交点５３を配置する（図１０（Ａ）下段）。つまり、オプション機能の設定によって視覚上の変化が生じるはずである位置が変化するため、この変化に応じてクロスマークの交点５３の位置を変更する。
【００６５】
また例えば、コントラストチェック用グレーチャート６９においても同様に、視覚上の変化が生じるはずである位置に応じてクロスマークの交点５３の位置が設定される。つまり、図１０（Ｂ）に示すように、標準的な設定として比較的コントラストが低い状態で視覚上の変化が生じると予想される位置に注目マーク７０を配置し（図１０（Ｂ）上段）、例えば、よりコントラストが高い状態でテストパターン６０を印刷する場合には、注目マーク７０に加えて、実際に白からグレーに変化するチャート上の位置にクロスマークの交点５３を配置する（図１０（Ｂ）下段）。なお、コントラストをより高い状態に遷移させると、クロスマークの交点５３の位置が左側に移動することになる。
【００６６】
［第２実施形態による効果］
このような、上記の画像形成装置（２）において、制御部（１０）は、変更画像生成処理（Ｓ１５、Ｓ２０、Ｓ２５）では、任意の画像として、異なる色の属性となる複数の領域を有するテスト画像（６０）を生成し、オプション機能として、設定された色の属性（色合い、コントラスト、明度等）で印刷するための属性変更機能による設定に従ってテスト画像（６０）に基づく変更画像データを生成し、位置演算処理（Ｓ３０）では、チェックすべき位置として  テスト画像において視覚上の変化が生じるはずである位置を演算する。
【００６７】
このような画像形成装置（２）によれば、テスト画像（６０）において視覚上の変化が生じるはずである位置にチェック用画像を生成するので、チェック者はこの位置においてテスト画像（６０）に視覚上の変化が生じているか否かを確認すればよい。よって、色の属性が正しく表現されているか否かを容易に確認することができる。
【００６８】
また上記の画像形成装置（２）において、制御部（１０）は、変更画像生成処理（Ｓ１５、Ｓ２０、Ｓ２５）では、テスト画像（６０）を、画像形成装置（２）が有するインクやトナーの原色で形成するための変更画像データを生成する。
【００６９】
このような画像形成装置（２）によれば、テスト画像（６０）を生成する際に用いたインクやトナーが正常に制御されているか否かを容易に確認することができる。
［その他の実施形態］
本発明は、上記の実施形態によって何ら限定して解釈されない。また、上記の実施形態の構成の一部を、課題を解決できる限りにおいて省略した態様も本発明の実施形態である。また、上記の複数の実施形態を適宜組み合わせて構成される態様も本発明の実施形態である。また、特許請求の範囲に記載した文言のみによって特定される発明の本質を逸脱しない限度において考え得るあらゆる態様も本発明の実施形態である。また、上記の実施形態の説明で用いる符号を特許請求の範囲に対応する記載にも適宜使用しているが、各請求項に係る発明の理解を容易にする目的で使用しており、各請求項に係る発明の技術的範囲を限定する意図ではない。
【符号の説明】
【００７０】
１，２…ＭＦＣ、１０…制御部、１１…ＣＰＵ、１２…メモリ、２１…入力部、２２…画像形成部、３０…画像、３１…候補エリア、３８…注目マーク、３９…目標点、４０…画像、５０…チェック用画像、５１…横線、５２…縦線、５３…交点、６０…テストパターン、６１…印刷ページ番号画像、６２…注目マーク、６３…品質チェック用グレーチャート、６４…注目マーク、６５…矩形画像、６６…注目マーク、６９…コントラストチェック用グレーチャート、７０…注目マーク。
【図１】
2015174396.tif 000003
【図２】
2015174396.tif 000004
【図３】
2015174396.tif 000005
【図４】
2015174396.tif 000006
【図５】
2015174396.tif 000007
【図６】
2015174396.tif 000008
【図７】
2015174396.tif 000009
【図８】
2015174396.tif 000010
【図９】
2015174396.tif 000011
【図１０】
2015174396.tif 000012